(57)【要約】【課題】  腕時計は本来、フレーム本体を含む各部品が、精巧かつ精密に製作されるものであるが、当該各部品に多少のサイズの誤差があっても、フレーム本体に各部品を装着することができ、なおかつ、腕時計の外観は、実用性や見やすさを追求したものが多い中で、レンズの傷や破損を防ぐと同時に、レンズや文字盤に装飾性や独創性をより一層持たせることのできる装飾腕時計を提供する。【解決手段】  腕時計のフレームの内面壁と、文字盤装飾体の外周面の間に、リング形状のフレーム用弾性保持体を設ける。そして、文字盤装飾体の内周面と、ムーブメントの外周面との間に、リング形状のムーブメント用弾性保持体を設ける。さらに、裏蓋の内面と、ムーブメントおよび文字盤装飾体の底面の間に、平面形状の裏蓋用弾性保持体を設けたことを特徴とする。【選択図】  図１
2005321394.tif 000002
【特許請求の範囲】
【請求項１】
腕時計のフレームの内面壁と、文字盤装飾体の外周面との間に、リング形状のフレーム用弾性保持体を設け、文字盤装飾体の内面壁と、ムーブメントの外周面との間に、リング形状のムーブメント用弾性保持体を設け、裏蓋の内面と、ムーブメントおよび文字盤装飾体の底面との間に、平面形状の裏蓋用弾性保持体を設けた装飾腕時計。
【請求項２】
文字・幾何学模様・イラストまたはスケッチの各種デザインを、板状平面彫刻または立体彫刻に施した金属製のレンズ装飾体を形成し、レンズの内外の両面、又は、いずれかの片面の、全面又は一部の面に、接着剤又はネジで固定する請求項１記載の装飾腕時計。
【請求項３】
腕時計内部の、ムーブメント固定用のハウジングの替わりに、文字・幾何学模様・イラストまたはスケッチの各種デザインを、板状平面彫刻または立体彫刻に施された金属製の文字盤装飾体を形成し、文字盤は、前記文字盤装飾体と重なる外周部分を取り除いた大きさとした請求項１または／及び請求項２記載の装飾腕時計。
【請求項４】
彫刻用の軟質ワックスを上層部とし、土台用の硬質ワックスまたは樹脂を下層部とした２層式の文字盤用ワックス板を既製の文字盤の上載せ用に形成することを特徴とする請求項１または／及び請求項２記載の装飾腕時計。
【請求項５】
腕時計のフレームの内面壁にある文字盤固定用の階段状のステップを２段階に形成した請求項１または／及び請求項２または／及び請求項４記載の装飾腕時計。
【発明の詳細な説明】
【技術分野】
【０００１】  本発明は、腕時計の製作時に、フレームとその内部に装着される各部品を、多少のサイズの誤差でも収納することができ、なおかつ、レンズの傷や破損を防ぐと同時に、レンズや文字盤に装飾性や独創性をより一層持たせることのできる装飾腕時計に関するものである。
そして、万人が鋳造式金属製の文字盤の原型ワックスを彫刻することができる装飾腕時計に関するものである。
【背景技術】
【０００２】  従来より、腕時計は時刻表示をする精密器械と言われるように、フレームおよびその内部に装着される各部品のすべてが、精巧かつ精密に製作され、その外観は実用性や見やすさが重要視されていた。
そして、文字盤を含む腕時計のデザインは量産型が主流である。
【発明の開示】
【発明が解決しようとする課題】
【０００３】  従来の技術には、次のような欠点があった。
（イ）  腕時計の製作には、専門的な技術や知識を修得するための経験が必要であった。
（ロ）  腕時計の製作時に使用される多種類にも及ぶ器械や工具を揃えるには、高額な費      用とそれを設置するための広い作業場が必要であった。
（ハ）  腕時計の製作時には、技術的な器用さが必要であり、だれにでも簡単に出来ると      いうものではなかった。
（ニ）  腕時計のレンズは、傷がつきやすく破損することもあった。
（ホ）  腕時計の外観は、単純で個性がない。
（ヘ）  腕時計の文字盤の彫刻を、購入者が行なうことはなかった。
（ト）  腕時計の文字盤は、製作時にサイズの誤差が生じた場合には、造り直しをしなけ      ればいけなかった。
本発明は、以上の欠点を解決するために考えられたものである。
【課題を解決するための手段】
【０００４】  腕時計のフレームの内面壁と、文字盤装飾体の外周面との間に、リング形状のフレーム用弾性保持体を設ける。そして、文字盤装飾体の内周面と、ムーブメントの外周面との間に、リング形状のムーブメント用弾性保持体を設ける。さらに、裏蓋の内面と、ムーブメントおよび文字盤装飾体の底面の間に、平面形状の裏蓋用弾性保持体を設ける。（請求項１記載）
文字・幾何学模様・イラスト又はスケッチの各種デザインを、板状平面彫刻または立体彫刻に施した金属製のレンズ装飾体を形成する。そして、そのレンズ装飾体を、レンズの内外の両面、又は、いずれかの片面の、全面または一部の面に、接着剤またはネジで固定する。（請求項２記載）
腕時計内部の、ムーブメント固定用のハウジングの替わりに、文字・幾何学模様・イラストまたはスケッチの各種デザインを、板状平面彫刻または、立体彫刻に施した金属製の文字盤装飾体を形成する。そして、文字盤は、前記文字盤装飾体と重なる外周部分を取り除いた大きさとする。（請求項３記載）
彫刻用の軟質ワックスを上層部とし、土台用の硬質ワックスまたは樹脂を下層部とした２層式の文字盤用ワックス板を既製の文字盤の上載せ用として設ける。（請求項４記載）
腕時計のフレームの内面壁にある文字盤固定用の階段状のステップを２段階に形成する。（請求項５記載）
本発明は、以上の構成よりなる装飾腕時計である。
【発明の効果】
【０００５】  本発明を使用することにより、腕時計製作において、専門的な技術や知識および多種類にも及ぶ高額な器械や工具を必要としないで、各部品の多少のサイズの誤差でも簡単に製作することができる。
そして、腕時計のレンズの傷や破損を防ぐと同時に、レンズや文字盤に装飾性や独創性を持たせ、個性豊かな遊び心を持った腕時計ができる。
本発明の２層式の文字盤用ワックス板を使用することにより、彫刻時における彫る深さの均一性や、変形および破損の防止などの障害を緩和して、購入者が自ら彫刻した１個しかない独自性の高い文字盤の装着された腕時計ができる。
【発明を実施するための最良の形態】
【０００６】  本発明の請求項１の装飾腕時計の構成は、図１の断面図に示すように、腕時計のフレーム（２）の内面壁を、溝状の空間を確保できる形状とし、フレーム（２）の内面壁と、文字盤装飾体（９）の外周面との間に挟まれるように、溝状の空間にリング形状となるフレーム用弾性保持体（１）を設ける。
そして、文字盤装飾体（９）の内周面と、ムーブメント（４）の外周面との間に挟まれるように、リング形状となるムーブメント用弾性保持体（３）を設ける。
次に、裏蓋（６）の内面と、ムーブメント（４）および文字盤装飾体（９）の底面との間に、ムーブメント（４）と文字盤装飾体（９）を押し込むように、平面形状の裏蓋用弾性保持体（５）を設ける。
フレーム用弾性保持体（１）とムーブメント用弾性保持体（３）の形状は、リング形状としたが、その他にも、円周上の一部を断続的に切断した帯状形状、同様の配置で棒状と球状などの形状が考えられる。
図１の断面図に示される文字盤装飾体（９）と裏蓋用弾性保持体（５）の占有スペースは、既製の腕時計では、図２の断面図で示すように、ムーブメント（４）を固定するためのハウジング（１１）が位置するものであり、そのハウジング（１１）の占有スペースと各弾性保持体を利用することで、レンズ装飾体（７）や文字盤装飾体（９）などを製作することができ、腕時計の装飾性や独創性を高めることができるものである。
なお、フレーム用弾性保持体（１）は、単体で既製の腕時計の製作時に起きる多少のサイズの誤差にも利用することができる。（図２参照）【０００７】  本発明の請求項２の装飾腕時計の構成は、図１の断面図に示すように、彫刻の施された金属製のレンズ装飾体（７）を、レンズ（８）の内側と外側の両面、又は、いずれかの片面を用いて、全面または一部の面に、接着剤またはネジで固定するものである。
レンズ装飾体（７）の彫刻とは、文字・幾何学模様・イラスト・スケッチ等の各種デザインを、板状平面彫刻または立体彫刻に施したものであり、鋳造式・切削式・圧印型押し式等を用いて金属性としたものである。
レンズ装飾体（７）の他の装飾として、宝石類（１２）を装飾の一部として、立爪などで固定する方法と、レンズ装飾体（７）の金属の一部または全部を、樹脂などに置き換える方法などが考えられる。
また、本発明のレンズ装飾体（７）は、現存の懐中時計の蓋のように、レンズ（８）保護のために密閉するのではなく、レンズ装飾体（７）を使用しても、腕時計の時刻表示を、外からレンズ（８）越しに見ることのできる大きさ・構造としたものである。
その他に、腕時計のフレーム（２）からレンズ（８）表面に防護体を設けられた構造の時計もあるが、装飾性のない単純な構造のものであり、本発明のレンズ装飾体（７）のように、装飾性や独創性を追求し、個性豊かな遊び心を持った各種デザインを彫刻して装飾体とし、それをレンズ（８）に固定する構造とは異なるものである。
なお、内側用のレンズ装飾体（７）を形成する際に、レンズ（８）と文字盤（１０）との間のスペース（図２参照）を拡張するために、文字盤（１０）の位置を、レンズ（８）から離す（図１参照）必要があり、そのための微調整緩和のために、フレーム用弾性保持体（１）と裏蓋用弾性保持体（５）を使用すると便利である。【０００８】  レンズ装飾体（７）の固定方法の発展型として、レンズ（８）に直接固定するのではなく、図３図４で示すように、外側用のレンズ装飾体（７）の端の数ヶ所から、フレーム（２）まで伸びる足（１４）を数本出すことにより、レンズ装飾体（７）の固定がレンズ（８）ではなく、フレーム（２）に固定することができ、本発明の形態が豊富になり、より一層装飾性や独創性が増すので、その固定方法を箇条書きにする。
（イ）  フレーム（２）製作時に、レンズ装飾体（７）をフレーム（２）と一体にして製      作をするフレーム一体型。（図４参照）
（ロ）  フレーム（２）に、レンズ装飾体（７）の足（１４）の先端を、ネジ等で固定を      するフレームネジ固定型。
（ハ）  フレーム（２）に、穴（１５）のあいた突起体（１６）（蝶番などの開閉装置）      を数ヶ所設け、その穴（１５）の中にフレーム（２）本体を挟み込むように、レン      ズ装飾体（７）の足（１４）の先端を押し込み固定をするフレーム突起固定型。（      図５参照）
（ニ）  フレーム（２）の外周部の側面に、（ハ）と同様の穴（１５）を数ヶ所あけ、そ      の穴（１５）の中にフレーム（２）本体を挟み込むように、レンズ装飾体（７）の      足（１４）の先端を押し込み固定をするフレーム直接固定型。
（ホ）  レンズ装飾体（７）の足（１４）の先端部に、横方向の孔（１３）をあけ、その      孔（１３）にバネ棒（１７）を通して固定をするバネ棒固定型。（図６参照）
このバネ棒固定型は、レンズ装飾体（７）をバネ棒（１７）と平行の方向におよ      そ２分割して、２本あるバネ棒（１７）に、両方または片方に分割したレンズ装飾      体（７）を固定する方法も考えられる。
（ヘ）  フレーム（２）に、側面に溝のある突起体（１６）を数ヶ所設け、その溝にレン      ズ装飾体（７）の足（１４）の先端を滑るように挿入し固定するスライド固定型。
（ト）  レンズ装飾体（７）の足（１４）の先端部に、縦長の孔（１３）をあけ、その孔      （１３）をベルト受け部（１８）に通して固定をするベルト受け部固定型。（図７      参照）
（チ）  レンズ装飾体（７）の足（１４）の先端が、フレーム（２）の外周部の側面を、      上面から下面へ、またぐように包み込み固定する簡易固定型。（図８参照）
（リ）  レンズ装飾体（７）の足（１４）の先端を、フレーム（２）とベルトの間の隙間      に挿し込み固定するベルト固定型。（図９参照）
（ヌ）  腕に腕時計を装着する時に、腕時計の裏側と腕の間に、レンズ装飾体（７）の足      （１４）を通して固定をする独立固定型。（図１０参照）
以上が、外側用のレンズ装飾体（７）の、フレーム（２）への発展型の固定方法であるが、（ハ）（ニ）（ホ）は、開閉式と簡易着脱式として使用することができ、（ヘ）（ト）（チ）（リ）（ヌ）は、簡易着脱式として使用することができるので、レンズ（８）面の清掃が非常に簡単である。
そして、外側用のレンズ装飾体（７）をフレーム（２）に固定する場合は、レンズ装飾体（７）をレンズ（８）から離し、浮かした状態で固定する方法も考えられる。（図６〜図１０参照）
また、本発明のフレーム固定型の足（１４）がついたレンズ装飾体（７）の足（１４）を、ベルトに巻きつけ使用すると、ベルトまでを含む腕時計全体の装飾性や独創性をより一層持たせることができる。【０００９】  本発明の請求項３の装飾腕時計は、図２の断面図に示すように、腕時計内部のムーブメント（４）固定用のハウジング（１１）を取り除き、その替わりに、図１の断面図に示された彫刻の施された金属製の文字盤装飾体（９）を設ける。そして、文字盤（１０）は、外からレンズ（８）越しに、文字盤装飾体（９）を見ることができるように、文字盤装飾体（９）と重なる外周部分を取り除いた大きさとするものである。
文字盤装飾体（９）の彫刻とは、請求項２の彫刻と同様で、文字・幾何学模様・イラスト・スケッチ等の各種デザインを、板状平面彫刻または立体彫刻に施したものであり、鋳造式・切削式・圧印型押し式等を用いて金属製としたものである。
文字盤装飾体（９）の他の装飾として、宝石類（１２）を装飾の一部として、立爪などで固定する方法と、文字盤装飾体（９）の金属の一部または全部を、樹脂などに置き換える方法などが考えられる。
文字盤装飾体（９）は、それ自体を独立した単体として製作する方法の他に、文字盤（１０）の一部分とする文字盤一体型と、フレーム（２）の一部分とするフレーム一体型などが考えられる。
なお、文字盤装飾体（９）を使用する際には、微調整緩和のためにすべての弾性保持体を使用すると便利である。【００１０】  本発明の請求項４の装飾腕時計の構成は、図１１の断面図に示すように、上層部に彫刻のすることのできる軟質ワックス（１９）と、下層部に土台となる硬質ワックスまたは樹脂（２０）で形成された２層式の文字盤用ワックス板を既製の文字盤（１０）の上載せ用として設ける。
そして、その使用方法は、購入者が自ら２層式の文字盤用ワックス板に自由なデザインを彫刻する。その２層式の文字盤用ワックス板を専門家に鋳造や研磨を委託し、鋳造式金属製の文字盤（２３）として仕上げられ、腕時計の他の部品と供に組み立て作業の工程を経て、装飾腕時計となる。【００１１】  本発明の請求項５の装飾腕時計の構成は、図１２の断面図に示すように、腕時計のフレーム（２）の内面壁にある文字盤（１０）固定用の階段状のステップ（２１）を、従来より１段増やし２段階に形成する。
そして、その使用方法は、１段目（図１２の下段）を従来と同様に既製の文字盤（１０）の固定用とし、２段目（図１２の上段）は彫刻の施された鋳造式金属製の文字盤（２３）が、フレーム（２）の内面壁に干渉しないように、双方の文字盤（１０・２３）を接着剤または粘着テープなどを用いて固定する。
また、請求項４の２層式の文字盤用ワックス板と、請求項５の２段階のステップ（２１）を使用する場合には、請求項１のムーブメント用弾性保持体（３）は必要としない。【００１２】  本発明の請求項４の２層式の文字盤用ワックス板は、指環の印台上面部および印台側面部に、２層式の文字盤用ワックス板を収納することのできる凹状収納部を形成することにより、鋳造前の指環のワックス原型と２層式の文字盤用ワックス板を接着剤などで接着することにより使用することができる。
この方法は、指環の他にもペンダント・ブローチ・イヤリング・ピアス・ブレスレットなどのアクセサリーにも使用することができる。
そして、２層式の文字盤用ワックス板は、上層部に軟質ワックスと下層部に硬質ワックスまたは樹脂と平面形状であるが、中心部に硬質ワックスまたは樹脂とし、外周部に軟質ワックスとすると、あらゆる形状に対応することができ、本発明の請求項４の２層式の文字盤用ワックス板は、各種アクセサリーのワックス原型にも使用することができる。
【図面の簡単な説明】
【００１３】
【図１】  本発明の請求項１・２・３に係る実施例を示す断面図
【図２】  従来の既製の腕時計の断面図
【図３】  本発明の請求項２の実施例を示す斜視図
【図４】  本発明の請求項２の実施例を示す斜視図
【図５】  本発明の請求項２の実施例を示す斜視図
【図６】  本発明の請求項２の実施例を示す斜視図
【図７】  本発明の請求項２の実施例を示す斜視図
【図８】  本発明の請求項２の実施例を示す斜視図
【図９】  本発明の請求項２の実施例を示す斜視図
【図１０】  本発明の請求項２の実施例を示す斜視図
【図１１】  本発明の請求項４の実施例を示す断面図
【図１２】  本発明の請求項５の実施例を示す断面図
【符号の説明】
【００１４】１  フレーム用弾性保持体
２  フレーム
３  ムーブメント用弾性保持体
４  ムーブメント
５  裏蓋用弾性保持体
６  裏蓋
７  レンズ装飾体
８  レンズ
９  文字盤装飾体
１０  文字盤
１１  ハウジング
１２  宝石類
１３  孔
１４  足
１５  穴
１６  突起体
１７  バネ棒
１８  ベルト受け部
１９  軟質ワックス
２０  硬質ワックスまたは樹脂
２１  ステップ
２２  文字盤の中央の穴
２３  鋳造式金属製の文字盤
【図１】
2005321394.tif 000003
【図２】
2005321394.tif 000004
【図３】
2005321394.tif 000005
【図４】
2005321394.tif 000006
【図５】
2005321394.tif 000007
【図６】
2005321394.tif 000008
【図７】
2005321394.tif 000009
【図８】
2005321394.tif 000010
【図９】
2005321394.tif 000011
【図１０】
2005321394.tif 000012
【図１１】
2005321394.tif 000013
【図１２】
2005321394.tif 000014